(57)【要約】【課題】可搬型イメージスキャナにより読み取られた電子データをサーバで集中管理する配送伝票管理システムのセキュリティを向上可能にする技術を提供する。【解決手段】可搬型イメージスキャナ１００と、可搬型イメージスキャナ１００により読み取られた電子データを受信するサーバ２００とを有する配送伝票管理システム１０であって、可搬型イメージスキャナ１００は、画像を読み取る読取部１２０と、読取部１２０が読み取った画像から取得される暗号化済転送先情報を、サーバ２００を特定するための情報を含む転送先情報へ復号化する復号化処理部１１０と、転送先情報から特定されるサーバ２００へ電子データを送信させる通信処理部１６０とを有する。【選択図】図１
2016177723.tif 000002
【特許請求の範囲】
【請求項１】
可搬型イメージスキャナと、前記可搬型イメージスキャナにより読み取られた電子データを受信するサーバとを有する配送伝票管理システムであって、
前記可搬型イメージスキャナは、
画像を読み取る読取部と、
前記読取部が読み取った前記画像から取得される暗号化済転送先情報を、前記サーバを特定するための情報を含む転送先情報へ復号化する復号化処理部と、
前記転送先情報から特定される前記サーバへ前記電子データを送信させる通信処理部と、
を有する、配送伝票管理システム。
【請求項２】
請求項１に記載の配送伝票管理システムにおいて、
前記画像は、前記暗号化済転送先情報を図形で表したものであり、
前記復号化処理部は、前記読取部が読み取った前記画像を変換することで前記暗号化済転送先情報を取得する、
配送伝票管理システム。
【請求項３】
請求項１に記載の配送伝票管理システムにおいて、
前記転送先情報は、前記サーバにアクセスするのに必要な認証情報を含み、
前記可搬型イメージスキャナの前記通信処理部は、前記可搬型イメージスキャナに、前記転送先情報から特定される前記サーバへ前記転送先情報に含まれる前記認証情報を送信させ、
前記サーバは、受信した前記認証情報に基づき、前記可搬型イメージスキャナを認証する認証処理を実行する認証処理部を有し、
前記可搬型イメージスキャナの前記通信処理部は、前記サーバにより認証された後に、前記転送先情報から特定される前記サーバへ前記電子データを送信させる、
配送伝票管理システム。
【請求項４】
請求項１に記載の配送伝票管理システムにおいて、
前記可搬型イメージスキャナの前記読取部は、前記電子データが読み取られる度に、読み取られた前記電子データを前記可搬型イメージスキャナの内部メモリに記憶し、
前記可搬型イメージスキャナは、前記内部メモリに記憶されている複数の前記電子データを一つのファイルにまとめ、まとめた後の前記ファイルにパスワードを設定することで、送信用データを生成する送信用データ生成部をさらに有し、
前記可搬型イメージスキャナの前記通信処理部は、前記転送先情報から特定される前記サーバへ前記送信用データを送信させる、
配送伝票管理システム。
【請求項５】
読み取った電子データをサーバへ送信する可搬型イメージスキャナであって、
画像を読み取る読取部と、
前記読取部が読み取った前記画像から取得される暗号化済転送先情報を、前記サーバを特定するための情報を含む転送先情報へ復号化する復号化処理部と、
前記転送先情報から特定される前記サーバへ読み取られた前記電子データを送信させる通信処理部と、
を有する、可搬型イメージスキャナ。
【発明の詳細な説明】
【技術分野】
【０００１】
本発明は、配送伝票管理システムおよび可搬型イメージスキャナに関する。
【背景技術】
【０００２】
宅配者により持ち運ばれるイメージスキャナは、ＰＣ（Ｐｅｒｓｏｎａｌ  Ｃｏｍｐｕｔｅｒ）を使用せずに配送伝票を読み取ることが望まれている。また、イメージスキャナにより読み取られることで取得される配送伝票の電子データを、サーバで集中管理したいというニーズがある。
【０００３】
特開平１１−３２８３８４号公報（特許文献１）には、「サーバ装置及び画像出力装置に接続されるように構成されるとともに画像を読み取る画像読取装置において、前記読み取られた画像を電源供給なく記憶維持する記憶維持手段と、前記記憶維持手段により記憶維持された画像を、ファイル転送プロトコルを使用して前記サーバ装置及び前記画像出力装置の少なくとも１つに転送する通信制御手段とを備える」技術が記載されている。
【先行技術文献】
【特許文献】
【０００４】
【特許文献１】特開平１１−３２８３８４号公報
【発明の概要】
【発明が解決しようとする課題】
【０００５】
特許文献１に記載された技術では、イメージスキャナにて読み取られた紙媒体の電子データをサーバに転送できる。しかし、特許文献１に記載された技術では、転送先情報（電子データを転送するサーバを特定するための情報）を手入力しなければならなかった。また、特許文献１に記載された技術では、転送先情報が暗号化されていないため、企業などに勤務する複数のユーザがサーバの転送先情報を共有した場合などに転送先情報が漏洩する可能性があった。そして、転送先情報が漏洩した場合、悪意のあるソフトウェアにより、サーバに記憶されているデータが改ざんされたり、データが抜き取られたりする可能性があった。
【０００６】
本発明の目的は、イメージスキャナにより読み取られた電子データをサーバで集中管理する配送伝票管理システムのセキュリティを向上可能にする技術を提供することである。
【課題を解決するための手段】
【０００７】
本願において開示される発明のうち、代表的なものの概要を簡単に説明すれば、次の通りである。
【０００８】
本発明の一実施の形態の配送伝票管理システムは、可搬型イメージスキャナと、前記可搬型イメージスキャナにより読み取られた電子データを受信するサーバとを有する配送伝票管理システムであって、前記可搬型イメージスキャナは、画像を読み取る読取部を有する。また、前記可搬型イメージスキャナは、前記読取部が読み取った前記画像から取得される暗号化済転送先情報を、前記サーバを特定するための情報を含む転送先情報へ復号化する復号化処理部を有する。また、前記可搬型イメージスキャナは、前記転送先情報から特定される前記サーバへ前記電子データを送信させる通信処理部を有する。
【０００９】
また、本発明の一実施の形態の可搬型イメージスキャナは、読み取った電子データをサーバへ送信する可搬型イメージスキャナであって、画像を読み取る読取部を有する。また、前記読取部が読み取った前記画像から取得される暗号化済転送先情報を、前記サーバを特定するための情報を含む転送先情報へ復号化する復号化処理部を有する。また、前記転送先情報から特定される前記サーバへ読み取られた前記電子データを送信させる通信処理部を有する。
【発明の効果】
【００１０】
本願において開示される発明のうち、代表的なものによって得られる効果を簡単に説明すれば以下のとおりである。
【００１１】
本発明の代表的な実施の形態によれば、配送伝票管理システムのセキュリティを向上できる。
【図面の簡単な説明】
【００１２】
【図１】本発明の一実施の形態における配送伝票管理システムの構成例の概要を示す図である。
【図２】転送先情報を画像データへ変換するまでの過程を説明するための図である。
【図３】画像データを転送先情報へ復号化するまでの過程を説明するための図である。
【図４】本発明の一実施の形態における可搬型イメージスキャナの状態遷移図である。
【図５】本発明の一実施の形態における可搬型イメージスキャナのディスプレイの構成例の概要を示す図である。
【図６】（ａ）〜（ｅ）は、本発明の一実施の形態における可搬型イメージスキャナが初期モードの場合に、ディスプレイに表示される画面例を示す図である。
【図７】本発明の一実施の形態における可搬型イメージスキャナが通常モードの場合に、ディスプレイに表示される画面例を示す図である。
【図８】本発明の一実施の形態における可搬型イメージスキャナが通常モードの場合に、ディスプレイに表示される画面例を示す図である。
【図９】本発明の一実施の形態における可搬型イメージスキャナが通常モードの場合および初期モードの場合に、ディスプレイに表示される画面例を示す図である。
【図１０】本発明の一実施の形態における初期設定処理の概要を示す図である。
【図１１】本発明の一実施の形態における通常処理の概要を示す図である。
【発明を実施するための形態】
【００１３】
以下、本発明の実施の形態を図面に基づいて詳細に説明する。なお、実施の形態を説明するための全図において、同一部には原則として同一の符号を付し、その繰り返しの説明は省略する。
【００１４】
＜システム構成＞
図１は、本発明の一実施の形態における配送伝票管理システム１０の構成例の概要を示す図である。図１に示されるように、配送伝票管理システム１０は、複数の可搬型イメージスキャナ１００と、各可搬型イメージスキャナ１００と無線通信を介して接続されるサーバ２００とを有する。
【００１５】
また、可搬型イメージスキャナ１００、サーバ２００は、所定のハードウェアおよびソフトウェアにより実装される。例えば、可搬型イメージスキャナ１００、サーバ２００は、プロセッサやメモリなどを有し、プロセッサにより実行されるメモリ上のプログラムが、配送伝票管理システム１０として、可搬型イメージスキャナ１００、サーバ２００のコンピュータを機能させる。
【００１６】
配送伝票管理システム１０では、顧客から受け取った配送伝票を、宅配者（配送車）ごとに配布されるＰＣレスの可搬型イメージスキャナ１００で読み取ることで、読み取られた配送伝票の電子データ（例えば、ＰＤＦデータ）をサーバ２００に集約できる。また、可搬型イメージスキャナ１００は、サーバ２００との間で無線通信を介して各種データを送受信可能に構成される。なお、配達伝票には、個人宅から回収する配達伝票と、店舗や法人から回収する配達伝票と、その他の配達地点から回収する配達伝票が含まれる。
【００１７】
例えば、配送業者は、顧客から受け取った配送伝票を可搬型イメージスキャナ１００に読み取らせる。その後、可搬型イメージスキャナ１００は、配送伝票を読み取った結果、取得する電子データを、無線通信を介してサーバ２００へ送信する。そして、サーバ２００は、各可搬型イメージスキャナ１００から送信される各電子データを受信する。これによって、サーバ２００は、各可搬型イメージスキャナ１００により読み取られた配送伝票を集中管理する。
【００１８】
サーバ２００は、暗号化処理部２１０と、画像データ生成部２２０と、出力部２３０と、認証処理部２４０と、記憶部２５０とを有する。
【００１９】
サーバ２００は、管理者から、転送先情報の入力を受け付ける。例えば、サーバ２００は、可搬型イメージスキャナ１００の初期設定時に転送先情報の入力を受け付ける。詳細には、サーバ２００は、サーバの名称を示すサーバ名と、電子データが格納されるフォルダの名称を示すフォルダ名と、サーバ２００のＩＰアドレスと、サーバ２００にアクセスするのに必要な認証情報（ログインＩＤおよびパスワード）と、電子データのファイル名などの入力を管理者から受け付ける。また、サーバ２００は、暗号化の方式と、暗号化キーとの入力を受け付ける。さらに、サーバ２００は、画像データの変換形式（ＱＲコード（登録商標）、バーコード、文字列のままなど）を選択する入力を受け付ける。なお、サーバ２００が、無線ＬＡＮ（Ｌｏｃａｌ  Ａｒｅａ  Ｎｅｔｗｏｒｋ）における無線アクセスポイントの識別名であるＳＳＩＤ（Ｓｅｒｖｉｃｅ  Ｓｅｔ  Ｉｄｅｎｔｉｆｉｅｒ）や、無線アクセスポイントのＩＰアドレスや、無線アクセスポイントにアクセスするのに必要なログインＩＤおよびパスワードや、ＺＩＰパスワードなどの情報の入力をさらに受け付けるようにしても良い。
【００２０】
サーバ２００の暗号化処理部２１０は、入力された暗号化方式と暗号化キーに基づき、図２に示されるように、転送先情報１２０１を暗号化することで、暗号化済転送先情報１２０２を生成する。そして、暗号化処理部２１０は、暗号化済転送先情報を画像データ生成部２２０に入力する。画像データ生成部２２０は、選択された画像データの変換形式に基づき、図２に示されるように、暗号化済転送先情報１２０２をＱＲコードなどの画像１２０３を表示するための画像データに変換する。画像データ生成部２２０は、変換した画像データを出力部２３０に入力する。
【００２１】
再び図１を参照する。出力部２３０は、プリンタなどの出力装置に、入力された画像データに基づく画像を印字させる。これによって、復号化済転送先情報を図形などで表した画像（ＱＲコードやバーコードや文字列）が印字された紙が、プリンタなどの出力装置から排出される。プリンタから排出された紙は、可搬型イメージスキャナ１００に挿入される。なお、ＱＲコードなどの画像が印字された紙は、例えば、初期設定時に一度だけプリンタから排出され、その後、可搬型イメージスキャナ１００に挿入される。
【００２２】
認証処理部２４０は、可搬型イメージスキャナ１００から送信されるログインＩＤとパスワードとに基づき、可搬型イメージスキャナ１００を認証する認証処理を実行する。
【００２３】
可搬型イメージスキャナ１００は、復号化処理部１１０と、読取部１２０と、表示部１３０と、送信用データ生成部１４０と、初期化処理部１５０と、通信処理部１６０とを有する。
【００２４】
可搬型イメージスキャナ１００には、復号化済転送先情報を図形などで表した画像が印字された紙が管理者により挿入される。読取部１２０は、紙に印字された画像を読み取る。なお、読取部１２０は、読み取る対象は、画像が表示または印字されるものであれば、紙に限られない。例えば、読取部１２０は、シート状の部材（例えば、プラスチック素材のシールや、カードなど）に表示または印字されている画像を読み取る。
【００２５】
復号化処理部１１０は、図３に示されるように、読取部１２０が読み取った画像１２０３を変換することで、暗号化済転送先情報１２０２を取得する。また、復号化処理部１１０は、図３に示されるように、読取部１２０が読み取った画像から取得される暗号化済転送先情報１２０２を、サーバ２００を特定するための情報を含む転送先情報１２０１へ復号化する。可搬型イメージスキャナ１００は、転送先情報に含まれるサーバ名とフォルダ名とＩＰアドレスとから特定されるサーバ２００へ、ログインＩＤとパスワードとを送信する。これによって、サーバ２００により、可搬型イメージスキャナ１００の認証がされる。サーバ２００が、可搬型イメージスキャナ１００の認証に成功すると、可搬型イメージスキャナ１００とサーバ２００との間の接続が確立する。
【００２６】
再び図１を参照する。可搬型イメージスキャナ１００とサーバ２００との間の接続が確立した後、可搬型イメージスキャナ１００は、配送伝票を読み取り可能になる。管理者は、配送伝票を読み取り可能になった可搬型イメージスキャナ１００を宅配者に配布する。これによって、宅配者に復号化済転送先情報を図形などで表した画像が印字された紙が渡ることを防止でき、セキュリティをさらに向上できる。
【００２７】
読取部１２０は、宅配者により配送伝票が可搬型イメージスキャナ１００に挿入され読み取られる度に、読み取られた配送伝票の電子データを可搬型イメージスキャナ１００の内部メモリの未送信領域に記憶する。これによって、配送伝票が読み取られる度に新たな電子データが、未送信領域に蓄積される。なお、読取部１２０が読み取る対象は、配送伝票に限られない。
【００２８】
送信用データ生成部１４０は、内部メモリの未送信領域に記憶されている複数の電子データを一つのファイルにまとめ、まとめた後のファイルにパスワードを設定することで、送信用データを生成する。
【００２９】
通信処理部１６０は、可搬型イメージスキャナ１００に、転送先情報から特定されるサーバ２００へ電子データ（送信用データ）を送信させる。その後、サーバ２００は、受信した送信用データを、受信した日付と、可搬型イメージスキャナ１００を識別するための識別子と対応付けて記憶部２５０に記憶する。なお、可搬型イメージスキャナ１００が、無線アクセスポイントを経由して転送先情報から特定されるサーバ２００へ電子データ（送信用データ）を送信しても良い。また、可搬型イメージスキャナ１００は、未送信領域に記憶されている送信用データをＳＤカードなどの外部記憶装置に移動しても良い。これによって、業務終了まで、可搬型イメージスキャナ１００がサーバ２００と無線通信ができない場合であっても、ＳＤカードを介してサーバに送信用データを移動できる。
【００３０】
初期化処理部１５０は、内部メモリに記憶されている送信用データや、転送先情報を消去する。
【００３１】
＜状態遷移＞
図４は、本発明の一実施の形態における可搬型イメージスキャナ１００の状態遷移図である。可搬型イメージスキャナ１００の動作モードは、初期モードが初期設定されている。
【００３２】
初期モードでは、初期設定処理（後述、図１０）が実行される。まず、初期モードでは、暗号化済転送先情報を図形で表した画像が印字された紙が可搬型イメージスキャナ１００に挿入される。そして、可搬型イメージスキャナ１００の読取部１２０が、紙に印字された画像を読み取る。これによって、暗号化済転送先情報が取得される。
【００３３】
次に、可搬型イメージスキャナ１００の復号化処理部１１０が、暗号化済転送先情報を暗号化される前の転送先情報へ復号化する。復号化された転送先情報は、可搬型イメージスキャナ１００の内部メモリに記憶される。
【００３４】
次に、可搬型イメージスキャナ１００は、転送先情報に含まれるサーバ名とフォルダ名とＩＰアドレスとから特定されるサーバ２００へ、ログインＩＤとパスワードとを送信する。これによって、サーバ２００により、可搬型イメージスキャナ１００の認証がされる。サーバ２００が、可搬型イメージスキャナ１００の認証に成功すると、可搬型イメージスキャナ１００とサーバ２００との間の接続が確立する。そして、可搬型イメージスキャナ１００の動作モードが、初期モードから通常モードへ遷移する。
【００３５】
通常モードでは、通常処理（後述、図１１）が実行される。通常モードでは、配達伝票が可搬型イメージスキャナ１００に挿入される。そして、可搬型イメージスキャナ１００の読取部１２０が、配達伝票を読み取り、読み取った配達伝票の電子データを生成する。可搬型イメージスキャナ１００の読取部１２０は、生成した電子データを、可搬型イメージスキャナ１００の内部メモリの未送信領域に記憶する。なお、読取部１２０は、配送伝票が読み取られる度に、読み取られた配送伝票の電子データを可搬型イメージスキャナ１００の内部メモリの未送信領域に記憶する。
【００３６】
可搬型イメージスキャナ１００が未送信領域に記憶されている電子データをサーバ２００へ送信させる入力を受け付けると、可搬型イメージスキャナ１００の送信用データ生成部１４０は、可搬型イメージスキャナ１００の内部メモリの未送信領域に記憶されている各電子データに基づき、送信用データ（例えば、ＺＩＰファイルフォーマットのデータ）を生成する。例えば、送信用データ生成部１４０は、未送信領域に記憶されている複数の電子データを一つのファイルとしてまとめ、まとめた後のファイルにパスワードを設定することで、送信用データを生成する。
【００３７】
次に、可搬型イメージスキャナ１００は、サーバ２００へ送信用データを送信する。送信用データを送信すると、可搬型イメージスキャナ１００は、未送信領域に記憶されている送信用データを消去する。
【００３８】
サーバ２００は、可搬型イメージスキャナ１００から送信された送信用データを受信し、受信した送信用データを記憶部２５０に記憶する。可搬型イメージスキャナ１００が初期化するための入力を受け付けると、可搬型イメージスキャナ１００の動作モードが、通常モードから初期モードへ遷移する。なお、初期化するための入力は、例えば、可搬型イメージスキャナ１００の故障時や、サーバ２００の転送先情報が変更した場合に受け付ける。
【００３９】
初期モードでは、初期化処理部１５０は、内部メモリに記憶されている送信用データや、転送先情報を消去する。
【００４０】
＜ディスプレイ＞
図５は、本発明の一実施の形態における可搬型イメージスキャナ１００のディスプレイ５００の構成例の概要を示す図である。図５に示されるように、ディスプレイ５００は、表示領域５１０と、第１操作ボタン５２０と、第２操作ボタン５３０と、決定ボタン５４０と、読取状態表示領域５５０と、送信状態表示領域５６０とを有する。
【００４１】
表示領域５１０には、現在のモードや、エラーの内容などを示すメッセージ（例えば、紙詰まり）が表示される。
【００４２】
第１操作ボタン５２０、第２操作ボタン５３０は、選択候補を切り替えるための入力などを受け付ける。また、決定ボタン５４０は、切り替え後の選択候補を選択対象として決定するための入力などを受け付ける。
【００４３】
読取状態表示領域５５０は、読取部１２０の読み取り状態を示す。例えば、読取状態表示領域５５０が青色に点灯している場合、読取部１２０が読取可能な状態であることを示し、読取状態表示領域５５０が青色に点滅している場合、読取部１２０が読取中であることを示す。また、読取状態表示領域５５０がオレンジ色に点灯している場合、紙詰まりや、スキャナの読み取り部位が汚れて正常な読み取りができないことを示す。
【００４４】
送信状態表示領域５６０は、可搬型イメージスキャナ１００の通信状態を示す。例えば、送信状態表示領域５６０が緑色に点灯している場合、可搬型イメージスキャナ１００がサーバ２００や無線アクセスポイントに送信用データを送信可能な状態であることを示し、送信状態表示領域５６０が緑色に点滅している場合、サーバ２００が可搬型イメージスキャナ１００を認証中であることを示す。また、送信状態表示領域５６０がオレンジ色に点滅している場合、サーバ２００が可搬型イメージスキャナ１００の認証をリトライ中であることを示す。また、送信状態表示領域５６０が赤色に点滅している場合、認証や、送信する際にエラーが発生していることを示す。例えば、１０分間、リトライしても送信用データを送信できない場合などに、送信状態表示領域５６０が赤色に点滅する。
【００４５】
また、読取状態表示領域５５０および送信状態表示領域５６０が赤色に点灯する場合、可搬型イメージスキャナ１００が故障していることを示す。
【００４６】
＜画面例＞
図６（ａ）〜（ｅ）は、本発明の一実施の形態における可搬型イメージスキャナ１００が初期モードの場合に、ディスプレイに表示される画面例を示す図である。
【００４７】
まず、図６（ａ）に示されるように、可搬型イメージスキャナ１００の表示部１３０は、「設定用紙を送って下さい」などのメッセージをディスプレイの表示領域５１０に表示させる。また、表示部１３０は、読取状態表示領域５５０を点灯させる。なお、表示部１３０は、選択されている配達業務の種別と対応する色で読取状態表示領域５５０を点灯させる。例えば、表示部１３０は、選択されている配達業務の種別が「業務１」である場合は青色で、選択されている配達業務の種別が「業務２」である場合は黄色で、選択されている配達業務の種別が「その他」である場合は「オレンジ色」で読取状態表示領域５５０を点灯させる。印字された紙が可搬型イメージスキャナ１００に挿入され、読取部１２０が挿入された紙に印字された画像の読み取りを開始すると、表示部１３０は、ディスプレイの表示領域５１０に図６（ｂ）に示す画面を表示させる。
【００４８】
図６（ｂ）に示されるように、表示部１３０は、「読取中」などのメッセージをディスプレイの表示領域５１０に表示させる。また、表示部１３０は、読取状態表示領域５５０を点滅させる。読取状態表示領域５５０が点滅することで、宅配者は、配送伝票が読み取り中であることを認識できる。復号化処理部１１０が、紙に印字された画像から読み取られた暗号化済転送先情報を、暗号化される前の転送先情報へ復号化すると、表示部１３０は、ディスプレイの表示領域５１０に図６（ｃ）に示す画面を表示させる。
【００４９】
図６（ｃ）に示されるように、表示部１３０は、「接続中」などのメッセージをディスプレイの表示領域５１０に表示させる。また、表示部１３０は、送信状態表示領域５６０を点滅させる。送信状態表示領域５６０が点滅することで、管理者は、サーバ２００が可搬型イメージスキャナ１００を認証中であることを認識できる。サーバ２００が可搬型イメージスキャナ１００の認証に成功した場合、表示部１３０は、ディスプレイの表示領域５１０に図６（ｄ）に示す画面を表示させる。一方、サーバ２００が可搬型イメージスキャナ１００の認証に失敗した場合、表示部１３０は、ディスプレイの表示領域５１０に図６（ｅ）に示す画面を表示させる。
【００５０】
サーバ２００が可搬型イメージスキャナ１００の認証に失敗した場合、図６（ｅ）に示されるように、表示部１３０は、「もう一度送って下さい」などのメッセージをディスプレイに表示領域５１０に表示させる。表示部１３０は、図６（ｅ）に示される画面を所定時間表示させた後、前述した図６（ａ）に示す画面をディスプレイの表示領域５１０に表示させる。
【００５１】
一方、サーバ２００が可搬型イメージスキャナ１００の認証に成功した場合、図６（ｄ）に示されるように、表示部１３０は、「接続完了」や「認証」などのメッセージをディスプレイの表示領域５１０に表示させる。また、決定ボタン５４０が押下されると、表示部１３０は、後述する図７に示す通常画面をディスプレイの表示領域５１０に表示させる。
【００５２】
図７に示されるように、表示部１３０は、業務の種別と、当該業務について読み取った配送伝票の枚数と、送信状態と、未送信領域に記憶されている送信用データの数とを含む通常画面７１０をディスプレイの表示領域５１０に表示させる。第２操作ボタン５３０が押下されると、表示部１３０は、確定処理画面７２０をディスプレイの表示領域５１０に表示させる。
【００５３】
確定処理画面７２０には、業務の種別と、当該業務について送信される配送伝票の電子データの枚数と、「確定する」などのメッセージとが含まれる。確定処理画面７２０が表示されている状態で第１操作ボタン５２０が押下されると、表示部１３０は、通常画面７１０をディスプレイの表示領域５１０に表示させる。また、確定処理画面７２０が表示されている状態で第２操作ボタン５３０が押下されると、表示部１３０は、業務選択画面（後述、図８）をディスプレイの表示領域５１０に表示させる。また、確定処理画面７２０が表示されている状態で決定ボタン５４０が押下されると、表示部１３０は、確定処理画面７３０をディスプレイの表示領域５１０に表示させる。確定処理画面７３０をディスプレイの表示領域５１０に表示させた時点で、当該業務について読み取られた配送伝票の電子データを一つのファイルにまとめた送信用データが、サーバ２００へ送信され、送信された送信用データが未送信領域から消去される。
【００５４】
確定処理画面７３０には、業務の種別と、当該業務について送信される配送伝票の電子データの枚数と、「確定しました」などのメッセージとが含まれる。
【００５５】
確定処理画面７３０が表示されている状態で決定ボタン５４０が押下されると、表示部１３０は、送信用データが未送信領域から消去された後の、配送伝票の枚数と、送信用データの数と、業務の種別と、送信状態とを含む通常画面７１０をディスプレイの表示領域５１０に表示させる。これによって、表示領域５１０に表示される情報を、送信後の配送伝票の枚数と送信用データの数とへ更新できる。
【００５６】
確定処理画面７２０が表示されている状態で第２操作ボタン５３０が押下された場合、図８に示されるように、表示部１３０は、選択対象の業務の種別と、「業務選択する」などのメッセージとを含む業務選択画面８１０をディスプレイの表示領域５１０に表示させる。業務選択画面８１０が表示されている状態で第１操作ボタン５２０が押下されると、表示部１３０は、確定処理画面７２０をディスプレイの表示領域５１０に表示させる。また、業務選択画面８１０が表示されている状態で第２操作ボタン５３０が押下されると、表示部１３０は、枚数カウンタクリア画面（後述、図９）をディスプレイの表示領域５１０に表示させる。また、業務選択画面８１０が表示されている状態で決定ボタン５４０が押下されると、表示部１３０は、選択候補の業務の種別（図中、業務１）を含む業務選択画面８２０をディスプレイに表示させる。
【００５７】
業務選択画面８２０が表示されている状態で第１操作ボタン５２０が押下されると、表示部１３０は、業務選択画面８１０をディスプレイの表示領域５１０に表示させる。また、業務選択画面８２０が表示されている状態で決定ボタン５４０が押下されると、表示部１３０は、選択された業務の種別（図中、業務１）と、「選択しました」などのメッセージとを含む業務選択画面８３０をディスプレイに表示させる。また、業務選択画面８２０が表示されている状態で第２操作ボタン５３０が押下されると、表示部１３０は、切り替え後の選択候補の業務の種別（図中、業務２）を含む業務選択画面８４０をディスプレイの表示領域５１０に表示させる。
【００５８】
業務選択画面８４０が表示されている状態で第１操作ボタン５２０が押下されると、表示部１３０は、切り替え前の選択候補の業務の種別（図中、業務１）を含む業務選択画面８２０をディスプレイの表示領域５１０に表示させる。また、業務選択画面８４０が表示されている状態で決定ボタン５４０が押下されると、表示部１３０は、選択された業務の種別（図中、業務２）と、「選択しました」などのメッセージとを含む業務選択画面８５０をディスプレイに表示させる。また、選択されている業務の種別が、業務選択画面８４０が表示されている業務の種別へと変更される。また、業務選択画面８４０が表示されている状態で第２操作ボタン５３０が押下されると、表示部１３０は、切り替え後の選択候補の業務の種別（図中、その他）を含む業務選択画面８６０をディスプレイの表示領域５１０に表示させる。
【００５９】
業務選択画面８６０が表示されている状態で第１操作ボタン５２０が押下されると、表示部１３０は、切り替え前の選択候補の業務の種別（図中、業務２）を含む業務選択画面８４０をディスプレイの表示領域５１０に表示させる。また、業務選択画面８６０が表示されている状態で決定ボタン５４０が押下されると、表示部１３０は、選択された業務の種別（図中、その他）と、「選択しました」などのメッセージとを含む業務選択画面８７０をディスプレイに表示させる。
【００６０】
業務選択画面８３０，８５０，８７０が表示されている状態で決定ボタン５４０が押下されると、表示部１３０は、通常画面７１０をディスプレイの表示領域５１０に表示させる。
【００６１】
業務選択画面８１０が表示されている状態で第２操作ボタン５３０が押下された場合、図９に示されるように、表示部１３０は、枚数のカウンタをクリアする対象の業務の種別（図中、業務１）と、「枚数クリアする」などのメッセージとを含む枚数カウンタクリア画面９１０をディスプレイの表示領域５１０に表示させる。枚数カウンタクリア画面９１０が表示されている状態で決定ボタン５４０が押下されると、表示部１３０は、「枚数をクリアしました」などのメッセージを含む枚数カウンタクリア画面９２０をディスプレイに表示させる。また、可搬型イメージスキャナ１００の内部メモリに記憶されている当該業務について読み取った配送伝票の枚数がクリアされる。これによって、宅配業務が終了後に読み取られた配送伝票の枚数をクリアできる。配送伝票の枚数のクリアは、例えば、可搬型イメージスキャナ１００を回収した管理者により、宅配業務が終了した後に行われる。
【００６２】
枚数カウンタクリア画面９２０が表示されている状態で決定ボタン５４０が押下されると、表示部１３０は、通常画面７１０をディスプレイの表示領域５１０に表示させる。
【００６３】
枚数カウンタクリア画面９１０が表示されている状態で第２操作ボタン５３０が押下されると、表示部１３０は、「初期化する」などのメッセージを含む初期化画面１０１０をディスプレイの表示領域５１０に表示させる。初期化画面１０１０が表示されている状態で、第１操作ボタン５２０が押下されると、表示部１３０は、枚数カウンタクリア画面９１０をディスプレイの表示領域５１０に表示させる。また、初期化画面１０１０が表示されている状態で決定ボタン５４０が押下されると、表示部１３０は、「本当に初期化しますか？」などのメッセージを含む初期化画面１０２０をディスプレイに表示させる。
【００６４】
初期化画面１０２０が表示されている状態で第１操作ボタン５２０が押下されると、表示部１３０は、初期化画面１０１０をディスプレイの表示領域５１０に表示させる。また、初期化画面１０２０が表示されている状態で決定ボタン５４０が押下されると、表示部１３０は、「初期化完了」などのメッセージを含む初期化画面１０３０をディスプレイの表示領域５１０に表示させる。また、可搬型イメージスキャナ１００の動作モードが、通常モードから初期モードへ遷移する。
【００６５】
初期化画面１０３０が表示されている状態で決定ボタン５４０が押下されると、表示部１３０は、初期モードの通常画面（前述、図６（ａ））をディスプレイの表示領域５１０に表示させる。
【００６６】
初期化画面１０１０が表示されている状態で、第２操作ボタン５３０が押下されると、表示部１３０は、未送信領域に記憶されている送信用データの数と、「ＳＤカードに出力する」などのメッセージとを含むＳＤカード出力画面１１１０をディスプレイの表示領域５１０に表示させる。ＳＤカード出力画面１１１０が表示されている状態で第１操作ボタン５２０が押下されると、表示部１３０は、初期化画面１０１０をディスプレイの表示領域５１０に表示させる。また、ＳＤカード出力画面１１１０が表示されている状態で決定ボタン５４０が押下されると、表示部１３０は、未送信領域に記憶されている送信用データの数と、「ＳＤカードを入れてください」などのメッセージとを含むＳＤカード出力画面１１２０をディスプレイの表示領域５１０に表示させる。例えば、可搬型イメージスキャナ１００がサーバ２００との通信ができない場合に、送信用データのＳＤカードへの移動が行われる。
【００６７】
ＳＤカード出力画面１１２０が表示されている状態で第１操作ボタン５２０が押下されると、表示部１３０は、ＳＤカード出力画面１１１０をディスプレイの表示領域５１０に表示させる。ＳＤカード出力画面１１２０が表示されている状態で決定ボタン５４０が押下されると、表示部１３０は、未送信領域に記憶されている送信用データの数と、「実行中」などのメッセージとを含むＳＤカード出力画面１１３０をディスプレイの表示領域５１０に表示させる。また、未送信領域に記憶されている送信用データのＳＤカードへの移動が開始され、ＳＤカードへ移動された送信用データは未送信領域から消去される。未送信領域に記憶されている送信用データのＳＤカードへの移動が完了すると、表示部１３０は、未送信領域に記憶されている送信用データの数と、「ＳＤカードを抜いてください」などのメッセージとを含むＳＤカード出力画面１１４０をディスプレイの表示領域５１０に表示させる。一方、送信用データのＳＤカードへの移動が失敗した場合、表示部１３０は、未送信領域に記憶されている送信用データの数と、「エラー」などのメッセージとを含むＳＤカード出力画面１１５０をディスプレイの表示領域５１０に表示させる。
【００６８】
ＳＤカード出力画面１１４０，１１５０が表示されている状態で決定ボタン５４０が押下されると、表示部１３０は、通常画面７１０をディスプレイの表示領域５１０に表示させる。
【００６９】
＜初期設定処理＞
図１０は、本発明の一実施の形態における初期設定処理の概要を示す図である。初期設定処理は、例えば、可搬型イメージスキャナ１００に画像が印字された紙が挿入され、可搬型イメージスキャナ１００の読取部１２０が画像の読み取りを開始した場合に、開始する。
【００７０】
まず、Ｓ１００１にて、可搬型イメージスキャナ１００の読取部１２０は、画像（ＱＲコード）を読み取る。
【００７１】
次に、Ｓ１００２にて、可搬型イメージスキャナ１００の復号化処理部１１０は、Ｓ１００１にて読み取られた画像（ＱＲコード）を暗号化済転送先情報へ変換する。
【００７２】
次に、Ｓ１００３にて、可搬型イメージスキャナ１００の復号化処理部１１０は、Ｓ１００２にて変換された暗号化済転送先情報を暗号化される前の転送先情報へ復号化する。
【００７３】
次に、Ｓ１００４にて、可搬型イメージスキャナ１００の通信処理部１６０は、可搬型イメージスキャナ１００に、Ｓ１００３にて復号化された転送先情報に含まれるサーバ名とフォルダ名とＩＰアドレスとから特定されるサーバ２００へ、ログインＩＤとパスワードとを送信させる。なお、ログインＩＤとパスワードとは、復号化された転送先情報に含まれている。
【００７４】
次に、Ｓ１００５にて、サーバ２００の認証処理部２４０は、Ｓ１００４にて送信されたログインＩＤと、パスワードとを受信し、受信したログインＩＤとパスワードと、記憶部２５０に記憶されているログインＩＤとパスワードとを照合する。
【００７５】
次に、Ｓ１００６にて、サーバ２００の認証処理部２４０は、Ｓ１００５にて照合した結果、認証に成功したかを判定する。認証処理部２４０が、認証に成功していないと判定する場合（Ｓ１００６−Ｎｏ）、Ｓ１００９へ進む。一方、認証処理部２４０が、認証に成功したと判定する場合（Ｓ１００６−Ｙｅｓ）、Ｓ１００７へ進む。例えば、認証処理部２４０は、Ｓ１００４にて送信されたログインＩＤとパスワードと、記憶部２５０に記憶されているログインＩＤとパスワードとが一致する場合に認証に成功したと判定する。
【００７６】
次に、Ｓ１００７にて、サーバ２００は、可搬型イメージスキャナ１００に接続を確立するためのリクエストを送信する。
【００７７】
次に、Ｓ１００８にて、可搬型イメージスキャナ１００は、Ｓ１００７にて送信されたリクエストを受信する。そして、可搬型イメージスキャナ１００は、サーバ２００との間の接続を確立する。
【００７８】
Ｓ１００６にてＮｏだった場合、Ｓ１００９にて、サーバ２００は、認証に失敗したことを示す情報を可搬型イメージスキャナ１００に送信する。
【００７９】
＜通常処理＞
図１１は、本発明の一実施の形態における通常処理の概要を示す図である。通常処理は、可搬型イメージスキャナ１００とサーバ２００との間の接続が確立し、可搬型イメージスキャナ１００の動作モードが、初期モードから通常モードへ遷移した後に開始する。
【００８０】
まず、Ｓ１１０１にて、可搬型イメージスキャナ１００は、配送伝票を読み取ったか判定する。可搬型イメージスキャナ１００が、配送伝票を読み取っていないと判定する場合（Ｓ１１０１−Ｎｏ）、Ｓ１１０１に戻る。一方、可搬型イメージスキャナ１００が、配送伝票を読み取ったと判定する場合（Ｓ１１０１−Ｙｅｓ）、Ｓ１１０２へ進む。
【００８１】
次に、Ｓ１１０２にて、可搬型イメージスキャナ１００の読取部１２０は、Ｓ１１０１にて読み取った配達伝票の電子データを生成する。
【００８２】
次に、Ｓ１１０３にて、可搬型イメージスキャナ１００の読取部１２０は、Ｓ１１０２にて生成した電子データを、可搬型イメージスキャナ１００の内部メモリの未送信領域に記憶する。
【００８３】
次に、Ｓ１１０４にて、可搬型イメージスキャナ１００は、未送信領域に記憶されている電子データをサーバ２００へ送信させる入力を受け付けたかを判定する。可搬型イメージスキャナ１００が、未送信領域に記憶されている電子データをサーバ２００へ送信させる入力を受け付けていないと判定する場合（Ｓ１１０４−Ｎｏ）、Ｓ１１０１に戻る。一方、Ｓ１１０４にて、可搬型イメージスキャナ１００が、未送信領域に記憶されている電子データをサーバ２００へ送信させる入力を受け付けたと判定する場合（Ｓ１１０４−Ｙｅｓ）、Ｓ１１０５へ進む。
【００８４】
次に、Ｓ１１０５にて、可搬型イメージスキャナ１００の送信用データ生成部１４０は、可搬型イメージスキャナ１００の内部メモリの未送信領域に記憶されている各電子データに基づき、送信用データ（例えば、ＺＩＰファイルフォーマットのデータ）を生成する。例えば、送信用データ生成部１４０は、未送信領域に記憶されている複数の電子データを一つのファイルとしてまとめ、まとめた後のファイルにパスワードを設定することで、送信用データを生成する。
【００８５】
次に、Ｓ１１０６にて、可搬型イメージスキャナ１００の通信処理部１６０は、Ｓ１１０５にて生成された送信用データをサーバ２００へ送信させる。
【００８６】
次に、Ｓ１１０７にて、サーバ２００は、Ｓ１１０６にて送信された送信用データを受信する。
【００８７】
次に、Ｓ１１０８にて、サーバ２００は、Ｓ１１０７にて受信した送信用データを記憶部２５０に記憶する。
【００８８】
＜本実施の形態の効果＞
以上説明した本実施の形態における配送伝票管理システム１０によれば、復号化処理部１１０が、読取部１２０が読み取った画像から取得される暗号化済転送先情報を、サーバ２００を特定するための情報を含む転送先情報へ復号化し、通信処理部１６０が、可搬型イメージスキャナ１００に、転送先情報から特定されるサーバ２００へ配送伝票の電子データを送信させることで、企業などに勤務する複数のユーザがサーバの転送先情報を共有する場合であっても、転送先情報が漏洩することを防止できる。そして、悪意あるソフトウェアからサーバ２００が攻撃される可能性を低減できる。
【００８９】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００９０】
１０…配送伝票管理システム、
１００…可搬型イメージスキャナ、１１０…復号化処理部、１２０…読取部、１３０…表示部、１４０…送信用データ生成部、１５０…初期化処理部、１６０…通信処理部、
２００…サーバ、２１０…暗号化処理部、２２０…画像データ生成部、２３０…出力部、２４０…認証処理部、２５０…記憶部、
５００…ディスプレイ、５１０…表示領域、５２０…第１操作ボタン、５３０…第２操作ボタン、５４０…決定ボタン、５５０…読取状態表示領域、
１２０１…転送先情報、１２０２…暗号化済転送先情報。
【図１】
2016177723.tif 000003
【図２】
2016177723.tif 000004
【図３】
2016177723.tif 000005
【図４】
2016177723.tif 000006
【図５】
2016177723.tif 000007
【図６】
2016177723.tif 000008
【図７】
2016177723.tif 000009
【図８】
2016177723.tif 000010
【図９】
2016177723.tif 000011
【図１０】
2016177723.tif 000012
【図１１】
2016177723.tif 000013